(57)【特許請求の範囲】
【請求項１】
互いに開放された両端を有する金属製のバンドボディからなり、該バンドボディをリング状に丸めた状態で被締付面に装着するブーツバンドにおいて、
前記バンドボディの外側重なり部に形成された係止孔と、
前記バンドボディの内側重なり部に形成されかつ前記係止孔に挿入された状態において前記係止孔の縁部に係合する係合位置と該縁部に対する係合が外れる係合解除位置とにわたって前記係止孔の長手方向に移動可能な係止爪と、
前記バンドボディの一部に形成されていてリング状の該バンドボディの周長を縮める形状に塑性変形させることの可能な耳部とを具備し、
前記係止孔の長手方向中間部に、前記係止爪が前記係合位置から前記係合解除位置側に戻ることを規制するための幅狭部を形成したことを特徴とするブーツバンド。
【請求項２】
前記幅狭部の最も狭い箇所の幅を前記係止爪の幅よりも０．０５ｍｍ〜０．１５ｍｍ狭くしたことを特徴とする請求項１記載のブーツバンド。
【請求項３】
前記係止爪の外周部に前記バンドボディの表面から厚み方向に立上がる垂直面を形成し、該垂直面を前記幅狭部の内側面に接触させるようにしたことを特徴とする請求項１記載のブーツバンド。
【請求項４】
前記係止孔の内側面に、前記係合解除位置側から前記幅狭部に向かって該係止孔の幅が次第に狭まる案内斜面を形成したことを特徴とする請求項１記載のブーツバンド。
【請求項５】
互いに開放された両端を有する金属製のバンドボディからなり、該バンドボディをリング状に丸めた状態で被締付面に装着するブーツバンドにおいて、
前記バンドボディの外側重なり部に形成された係止孔と、
前記バンドボディの内側重なり部に形成されかつ前記係止孔に挿入された状態において前記係止孔の縁部に係合する係合位置と該縁部に対する係合が外れる係合解除位置とにわたって前記係止孔の長手方向に移動可能な係止爪と、
前記外側重なり部に形成されバンドボディの長手方向に延びる長孔と、
前記内側重なり部に形成され前記長孔に挿入される凸部であって、前記係止爪が前記係合位置まで移動したときに前記長孔の前端側に移動しかつ前記係止爪が前記係合解除位置まで移動したときに前記長孔の後端側に移動する凸部と、
前記バンドボディの一部に形成されていてリング状の該バンドボディの周長を縮める形状に塑性変形させることの可能な耳部とを具備し、
前記長孔の長手方向中間部に、前記凸部が該長孔の前端側から後端側に戻ることを規制するための幅狭部を形成したことを特徴とするブーツバンド。
【請求項６】
前記幅狭部の最も狭い箇所の幅を前記凸部の幅よりも０．０５ｍｍ〜０．１５ｍｍ狭くしたことを特徴とする請求項５記載のブーツバンド。
【請求項７】
前記凸部の外周部に前記バンドボディの表面から厚み方向に立上がる垂直面を形成し、該垂直面を前記幅狭部の内側面に接触させるようにしたことを特徴とする請求項５記載のブーツバンド。
【請求項８】
前記長孔の内側面に該長孔の後端側から前記幅狭部に向かって該長孔の幅が次第に狭まる案内斜面を形成したことを特徴とする請求項５記載のブーツバンド。
【発明の詳細な説明】
【０００１】
【発明の属する技術分野】
本発明は、ゴムあるいは樹脂などからなるブーツを接続相手部材に固定するために用いるブーツバンドに関する。
【０００２】
【従来の技術】
自動車等の一部品として、ゴムあるいは樹脂などからなるブーツが使われている。この明細書で言うブーツは、蛇腹状の樹脂ブーツをはじめとして、ホースあるいはチューブ等の円筒形の部材も含む。このブーツを接続相手部材に固定するために、金属製のブーツバンドが従来より用いられてきた。この種のブーツバンドとして、例えば特許第１８１８５５９号に記載されているように、互いに開放された両端を有する金属製のバンドボディをリング状に丸めた状態で被締付面に装着するものが知られている。
【０００３】
例えば図１９に示される従来のブーツバンド１は、リング状に丸める帯状の金属製バンドボディ２を有している。バンドボディ２の外側重なり部２ａに形成された係止孔３に、内側重なり部２ｂに形成された係止爪４を引っ掛けるようにしている。バンドボディ２の周方向の一部には、バンドボディ２の周長を縮める形状に塑性変形させることの可能な耳部５が設けられている。このブーツバンド１は、係止爪４を係止孔３に挿入し、ブーツ６の所定位置の被締付面６ａに置いたのち、耳部５を塑性変形させている。ブーツ６の内側には金属等の硬質の接続相手部材７が存在するため、ブーツ６の外径が縮むことが抑制されている。
【０００４】
この種のブーツバンド１は、係止爪４を係止孔３に係合させたままでは被締付面６ａに通すことができない場合、係止爪４を係止孔３から外した状態で被締付面６ａに位置させ、その状態から係止爪４を係止孔３に係合させることができるようにしている。そのために、被締付面６ａ上で係止爪４を係止孔３に挿入したり、係止爪４を係止孔３から外したりできるように係止爪４の形状等が設計されていた。通常、係止孔３の幅は係止爪４の幅よりも広くしてある。
【０００５】
【発明が解決しようとする課題】
ブーツバンド１の耳部５をかしめるには、ブーツバンド１を被締付面６ａに置いたのち、図示しないかしめ治具によって耳部５を塑性変形させる。この組付け作業を行う際に、何らかの外力によってバンドボディ２の周長が短くなる方向に内側重なり部２ｂが移動すると、係止孔３と係止爪４との係合が外れてしまうことがある。係止孔３と係止爪４との係合が外れると、外側重なり部２ａが内側重なり部２ｂから離れてしまったり、バンドボディ２が被締付面６ａの所定位置からずれてしまうなど、正常な組付けを行うことができなくなる。
【０００６】
また、係止爪４と係止孔３とを互いに係合させた状態でこのブーツバンド１を運搬したり保管する場合に、何らかの外力や振動などがバンドボディ２に働いたときに係止爪４が係止孔３から外れてしまうという問題も生じる。
【０００７】
なお、特公平８−３０４８４号公報に記載されているバンドにおいて、帯状部材に形成された支持突起を孔に挿入したのち、この支持突起を帯状部材の幅方向に曲げる（かしめる）ことにより、内側重なり部と外側重なり部が離れないようにしたものも実施されている。しかしこの種のバンドは、耳部を変形させる工程以外に支持突起をかしめる工程が必要であり、加工工数が多くコストが高いという問題があった。また、支持突起をかしめた後は、このバンドを被締付面から外したり、外したバンドを再び被締付面に置き直すことができなくなるため、作業性に問題を生じることがある。
【０００８】
従ってこの発明の目的は、組付けや運搬、保管の際などに係止爪が係止孔から不用意に外れることがなく、しかも必要に応じて係止爪と係止孔とを係合させたり、係合を外すことのできるブーツバンドを提供することにある。
【０００９】
【課題を解決するための手段】
上記の目的を果たすための本発明のブーツバンドは、バンドボディの外側重なり部に形成された係止孔と、バンドボディの内側重なり部に形成されかつ前記係止孔に挿入された状態において前記係止孔の縁部に係合する係合位置と該縁部に対する係合が外れる係合解除位置とにわたって前記係止孔の長手方向に移動可能な係止爪と、前記バンドボディの一部に形成されていてリング状の該バンドボディの周長を縮める形状に塑性変形させることの可能な耳部とを具備し、前記係止孔の長手方向中間部に、前記係止爪が前記係合位置から前記係合解除位置側に戻ることを規制するための幅狭部が形成されている。
【００１０】
この発明のブーツバンドは、係止爪を係止孔に係合解除位置側から挿入したのち、幅狭部を経て係合位置まで移動させる。係止爪が幅狭部を通り抜けた瞬間に節度感が生じるため、係止爪が係合位置に達したことをこのブーツバンドを操作する手の感触などによって知ることができる。
【００１１】
上記のように係止爪が係合位置まで移動すると、係止爪が係止孔の縁部に係合する。この状態でバンドボディの周長が短くなる方向に力が加わっても、係止爪が幅狭部によって係合解除位置側に戻ることが阻止される。この係止爪は、一定限度以上の力を係合解除位置の方向に加えたときのみ、幅狭部を通り抜けて係合解除位置まで移動することができる。
【００１２】
この発明において幅狭部の最も狭い箇所の幅を係止爪の幅よりも０．０５ｍｍ〜０．１５ｍｍ狭くするとよい。また、係止爪の外周部に前記バンドボディの表面から厚み方向に立上がる垂直面を形成し、この垂直面を幅狭部の内側面に接触させるようにするとよい。この垂直面によって、係止爪が幅狭部に確実に支持されるとともに、係止爪が幅狭部に接したときに、外側重なり部が内側重なり部から離れる方向に変位することを防止できる。
【００１３】
またこの発明において、前記係止孔の内側面に、係合解除位置側から幅狭部に向かって係止孔の幅が次第に狭まる案内斜面を形成するとよい。このような構成であれば、係止爪は案内斜面に沿って移動しながら円滑に幅狭部を通り抜けて係合位置に達する。
【００１４】
前記目的を果たすために他の形態をとる本発明のブーツバンドは、バンドボディの外側重なり部に形成された係止孔と、バンドボディの内側重なり部に形成されかつ前記係止孔に挿入された状態において前記係止孔の縁部に係合する係合位置と該縁部に対する係合が外れる係合解除位置とにわたって前記係止孔の長手方向に移動可能な係止爪と、前記外側重なり部に形成されバンドボディの長手方向に延びる長孔と、前記内側重なり部に形成され前記長孔に挿入される凸部であって前記係止爪が前記係合位置まで移動したときに前記長孔の前端側に移動しかつ前記係止爪が係合解除位置まで移動したときに前記長孔の後端側に移動する凸部とを具備し、前記長孔の長手方向中間部に、前記凸部が該長孔の前端側から後端側に戻ることを規制するための幅狭部を形成した。
【００１５】
この発明のブーツバンドは、前記凸部を長孔の後端側から挿入したのち、幅狭部を経て長孔の前端側に位置させることにより、係止爪が係止孔に係合する。この凸部が幅狭部を通り抜けた瞬間に節度感が生じる。長孔の前端側に移動した凸部は、一定限度以上の力を加えたときのみ、幅狭部を通り抜けて後端側に戻すことができる。
【００１６】
この発明において、幅狭部の最も狭い箇所の幅を凸部の幅よりも０．０５ｍｍ〜０．１５ｍｍ狭くするとよい。また、凸部の外周部にバンドボディの表面から厚み方向に立上がる垂直面を形成し、この垂直面を幅狭部の内側面に接触させるようにするとよい。この垂直面によって、凸部が幅狭部に確実に支持されるとともに、凸部が幅狭部に接したときに外側重なり部が内側重なり部から離れる方向に変位することを防止できる。
【００１７】
またこの発明において、前記長孔の内側面に、長孔の後端側から幅狭部に向かって長孔の幅が次第に狭まる案内斜面を形成するとよい。このような構成であれば、凸部は案内斜面に沿って移動しながら円滑に幅狭部を通り抜けて長孔の前端側に達する。
【００１８】
【発明の実施の形態】
以下に本発明のブーツバンドの第１の実施形態について、図１から図１０を参照して説明する。
図１に示すブーツバンド１０は、金属（例えばステンレス鋼）製の帯状部材からなるバンドボディ１１を有している。バンドボディ１１の長手方向の両端は、開放された第一端１３と第二端１４となっている。このバンドボディ１１は、第一端１３が外側に位置するようにリング状に丸められる。
【００１９】
ブーツ１７の一例は、図１０に示すような自動車の動力伝達系のジョイント部１８に設ける蛇腹状の樹脂製ブーツである。ブーツ１７の一端１７ａは、ブーツバンド１０によってジョイント部１８の接続相手部材１８ａに固定される。このブーツバンド１０は、ブーツ１７の被締付面１９に装着される。金属製の接続相手部材１８ａは、ブーツバンド１０の緊縛力程度では変形しない剛体である。これに対し、ブーツ１７は弾性変形することが可能である。
【００２０】
ブーツ１７の他端１７ｂは、この実施形態で説明するブーツバンド１０よりも小径なブーツバンド１０′によって軸部材１８ｂに固定される。小径側のブーツバンド１０′の構成は基本的に大径側のブーツバンド１０と共通であるため、この明細書では大径側のブーツバンド１０について説明する。
【００２１】
図１に示すようにリング状に丸めたバンドボディ１１は、第一端１３側に位置する外側重なり部２１と、第二端１４側に位置する内側重なり部２２と、これら重なり部２１，２２間に位置する長手方向中間部２３（重なり合わない部分）とを有している。このバンドボディ１１は、図８に示すように予めある程度リング状に成形されている。
【００２２】
バンドボディ１１の長手方向の一部に締付用の耳部３０が形成されている。耳部３０は、バンドボディ１１の外周側に立上がる前後一対の脚部３１，３２と、これら脚部３１，３２間にわたる架橋部３３とを含み、図９に示すように塑性変形させたとき（かしめたとき）にバンドボディ１１の周長を縮めることのできる形状となっている。かしめ後の耳部３０の剛性を高めるために、架橋部３３の両側にそれぞれリブ状部分３４が形成されている。
【００２３】
バンドボディ１１の外側重なり部２１の第一端１３寄りの部位には、バンドボディ１１の長手方向複数箇所（例えば２箇所）に係止孔４０が形成されている。図２に示すように係止孔４０はバンドボディ１１を板厚方向に貫通している。これら係止孔４０の詳細については後述する。
【００２４】
内側重なり部２２には、各係止孔４０と対応した位置に、複数（図示例は２箇所）の係止爪４１が形成されている。係止爪４１は外側重なり部２１に向って突出し、それぞれ対応する係止孔４０に挿入できるようになっている。図３に示すように各係止爪４１は、プレスによってバンドボディ１１の厚み方向に袋状に絞り加工された打出し部４５と、打出し部４５の前端４５ａから第一端１３に向かって延出する先端部４６を有している。
【００２５】
係止爪４１の打出し部４５の外周部には、図４に示すようにバンドボディ１１の表面から厚み方向にほぼ直角に立上がる垂直面４７が形成されている。この垂直面４７を、後述する幅狭部５０の内側面に接触させるようにしている。垂直面４７の高さＨは、バンドボディ１１の厚さの半分程度が好ましい。
【００２６】
係止爪４１は、係止孔４０に挿入された状態において、図５に示すように前端４５ａが係止孔４０の縁部４０ａに係合する係合位置と、図６に示すように縁部４０ａに対する前端４５ａの係合が外れる係合解除位置とにわたって、係止孔４０の長手方向に移動することができる。
【００２７】
係止爪４１が図５に示す係合位置にあるとき、係止爪４１の先端部４６が外側重なり部２１の外面と対向するため、外側重なり部２１が内側重なり部２２から離れることが抑制される。つまり係止爪４１が係止孔４０から外れることが阻止される。
【００２８】
係止爪４１が図６に示す係合解除位置まで移動すると、係止爪４１の先端部４６が外側重なり部２１の外面と対向しなくなるため、外側重なり部２１が内側重なり部２２から離れることができる。つまり係止爪４１と係止孔４０との係合を解除させることができる。従ってこのブーツバンド１０は、図８に示すように、係止爪４１を係止孔４０の係合解除位置側から挿入することができる。
【００２９】
係止孔４０の長手方向中間部に、係止爪４１が前記係合位置から係合解除位置側に戻ることを規制するための幅狭部５０が形成されている。図７に示すように幅狭部５０の最も狭い箇所の幅Ｗ１は、係止爪４１の幅Ｗ２（図５に示す）よりも０．０５ｍｍ〜０．１５ｍｍ狭くしている。係止孔４０の係合解除位置側の幅Ｗ３と係合位置側の幅Ｗ４は、それぞれ係止爪４１の幅Ｗ２よりも広い。係止孔４０の内側面に、係合解除位置側から幅狭部５０に向かって係止孔４０の幅が次第に狭まる滑らかな曲面状の案内斜面５１が形成されている。
【００３０】
次に、ブーツバンド１０の組付手順等について説明する。
図８に示すように、外側重なり部２１の内側に内側重なり部２２が重なるようにバンドボディ１１を丸める。そして図６に示すように係止爪４１を係止孔４０の係合解除位置側から挿入する。そののち、図５に示すように係止爪４１を係止孔４０の係合位置側に移動させる。この移動の途中で、係止爪４１の両側面すなわち垂直面４７が幅狭部５０の内側面を押し広げる方向に押圧しながら、幅狭部５０を通り抜けることにより、係止爪４１が係合位置に移行する。係止爪４１が幅狭部５０を通り抜けた瞬間に節度感を生じるため、ブーツバンド１０を操作する手の感触により係止爪４１が係合位置に達したことを知ることができる。
【００３１】
係止爪４１が係止孔４０に係合した状態において、バンドボディ１１はそれ自体の弾性復元力によって巻き径が広がろうとし、外側重なり部２１が内側重なり部２２から離れようとする。この場合、係止爪４１の先端部４６が外側重なり部２１の外面を押さえるようになり、係止爪４１と係止孔４０との係合が維持される。こうして、バンドボディ１１の巻き径がそれ以上広がることが阻止され、このブーツバンド１０は、図１に示すように閉じたリング状に保たれる。
【００３２】
係止爪４１と係止孔４０とを係合させたのち、図９に示すように耳部３０をかしめ治具（図示せず）によって塑性変形させ、バンドボディ１１の周長を縮めることによって、被締付面１９を緊縛する。こうしてブーツ１７が接続相手部材１８ａに固定される。
【００３３】
この実施形態のブーツバンド１０は、耳部３０をかしめる前にバンドボディ１１の周長が短くなる方向に何らかの力が加わったとしても、係止爪４１が係合解除位置側に動くことを幅狭部５０によって回避できる。このため組付け途中で係止爪４１が係止孔４０から外れたり、バンドボディ１１が広がってしまうなどの不具合を防止できる。
【００３４】
耳部３０をかしめる前にブーツバンド１０を被締付面１９から外す必要が生じた場合には、係止爪４１を前述の係合位置から係合解除位置に向かって強制的に戻す力を加える。こうすることによって係止爪４１を幅狭部５０から係合解除位置まで移動させると、係止爪４１と係止孔４０との係合を解除することができ、ブーツバンド１０を被締付面１９から外すことができる。
【００３５】
図１１と図１２は本発明の第２の実施形態のブーツバンド１０Ａの一部を示している。このブーツバンド１０Ａは、係止孔４０の形状が第１の実施形態のブーツバンド１０と異なる以外は、第１の実施形態と共通である。この第２の実施形態のブーツバンド１０Ａの係止孔４０は、係合解除位置側から幅狭部５０に向かってほぼ直線状に幅が狭まるテーパ状案内斜面５１′を有し、かつ、幅狭部５０から係合位置（係止孔４０の縁部４０ａの方向）に向かって係止孔４０の幅が急に広がる形状となっている。このような形状の係止孔４０を用いた場合、係止爪４１を係合解除位置から係合位置に向けて移動させる際に幅狭部５０を円滑に通り抜けることができ、係止爪４１が係合位置に達したのちは、係合解除位置側に移動しにくくすることができる。
【００３６】
図１３から図１８は、本発明の第３の実施形態のブーツバンド１０Ｂを示している。この実施形態のブーツバンド１０Ｂは、係止孔４０と係止爪４１以外に、外側重なり部２１に形成された長孔６０と、内側重なり部２２にプレス加工等によって形成された凸部６１とを有している。凸部６１は長孔６０に挿入される。凸部６１の高さはバンドボディ１１の板厚程度である。長孔６０はバンドボディ１１の長手方向に延びている。
【００３７】
係止爪４１は、係止孔４０に挿入された状態において、図１３および図１４に示すように係止孔４０の縁部４０ａに係合する係合位置と、図１５および図１６に示すように縁部４０ａから外れる係合解除位置とにわたって、係止孔４０の長手方向に移動可能である。係止爪４１が係合位置（図１３，図１４）まで移動したとき凸部６１が長孔６０の前端６０ａ側に移動し、係止爪４１が係合解除位置（図１５，図１６）まで移動したとき、凸部６１が長孔６０の後端６０ｂ側に移動する。こうすることにより、図１７に示すように係止爪４１を係止孔４０から外すことができる。
【００３８】
係止孔４０の縁部４０ａの周囲に、コイニング加工によってテーパ面６２が形成されている。このテーパ面６２を係止爪４１の前面に接触させることにより、外側重なり部２１を内側重なり部２２から離れにくくしている。係止爪４１の先端部４６′は、バンドボディ１１の第一端１３の方向に延びている。この先端部４６′は、係止爪４１が係止孔４０の縁部４０ａに係合した状態（図１４参照）において、外側重なり部２１が内側重なり部２２から離れることを阻止できる長さとしている。
【００３９】
長孔６０の長手方向中間部に、凸部６１が長孔６０の前端６０ａ側から後端６０ｂ側に戻ることを規制するための幅狭部７０が形成されている。図１８に模式的に示すように、幅狭部７０の最も狭い箇所の幅Ｗ５は、凸部６１の幅Ｗ６よりも０．０５ｍｍ〜０．１５ｍｍ狭くしている。この凸部６１は、図１８に実線で示す係合解除位置Ｐ１と、２点鎖線で示す係合位置Ｐ３との間を長孔６０の長手方向に移動することができる。
【００４０】
係合解除位置Ｐ１と係合位置Ｐ３との間の中間位置Ｐ２に、幅狭部７０が形成されている。長孔６０の内側面に、長孔６０の後端６０ｂ側から幅狭部７０に向かって長孔６０の幅が次第に狭まる案内斜面７１が形成されている。この案内斜面７１により、凸部６１が係合解除位置Ｐ１側から幅狭部７０を容易に通り抜けることができるようにしている。
【００４１】
凸部６１の外周部にバンドボディ１１の表面から厚み方向にほほ直角に立上がる垂直面６１ａが形成され、この垂直面６１ａを幅狭部７０の内側面に接触させるようにしている。凸部６１の前面側には、長孔６０の前端６０ａに当接可能な支持壁６１ｂが形成され、耳部３０をかしめたときにバンドボディ１１の長手方向に加わる引き締め力を支持壁６１ｂによって支持できるようにしている。
【００４２】
以上説明した点を除く第３の実施形態のブーツバンド１０Ｂの構成と作用、効果については、前述の第１の実施形態のブーツバンド１０と共通であるから、説明は省略する。これらの実施形態をはじめとして、この発明を実施するに当たって、バンドボディやブーツの形態、耳部や係止孔および係止爪の形状、幅狭部の形態、係止爪や係止孔の数など、この発明の構成要素をこの発明の要旨を逸脱しない範囲で適宜に変形して実施できることは言うまでもない。
【００４３】
【発明の効果】
請求項１に記載した発明によれば、係止爪と係止孔との係合が外れることを防止できる。また、係止爪を係止孔に係合させる際に、係止爪が幅狭部を通ることによって節度感が生じるため、ブーツバンドを扱う手の感触によって係止爪が係合位置に達したことを知ることができる。この発明のブーツバンドは、運搬時などに係止爪と係止孔との係合が外れてしまうなどの問題も回避できる。しかも、耳部をかしめる前にブーツバンドを被締付面から取外すこともできるし、必要に応じてブーツバンドを被締付面に取付け直すこともできる。
【００４４】
請求項２に記載した発明によれば、係止孔に挿入された係止爪を係合解除位置から係合位置に向かって容易に移動させることができるとともに、係合位置から係合解除位置に戻ることを防止することができる。
請求項３に記載した発明によれば、係止爪に形成された垂直面を幅狭部の内側面に接触させることにより、係止爪を幅狭部によって確実に受け止めることができるとともに、バンドボディの外側重なり部が内側重なり部から離れてしまうことも抑制される。
請求項４に記載した発明によれば、係止孔に挿入された係止爪を係合解除位置から係合位置に向かってさらに円滑に移動させることができる。
【００４５】
請求項５に記載した発明によれば、係止孔とは別の位置に形成した長孔に幅狭部を設けることにより、請求項１と同様の効果が得られる。
請求項６に記載した発明によれば、長孔に挿入された凸部を係合解除位置から係合位置に向かって容易に移動させることができるとともに、係合位置から係合解除位置に戻ることを防止することができる。
【００４６】
請求項７に記載した発明によれば、凸部に形成された垂直面を幅狭部の内側面に接触させることにより、凸部を幅狭部によって確実に受け止めることができるとともに、バンドボディの外側重なり部が内側重なり部から離れてしまうことも抑制される。
請求項８に記載した発明によれば、長孔に挿入された凸部を係合解除位置から係合位置に向かってさらに円滑に移動させることができる。
【図面の簡単な説明】
【図１】  この発明の第１の実施形態を示すブーツバンドとブーツと接続相手部材の断面図。
【図２】  図１に示されたブーツバンドの一部を拡大して示す断面図。
【図３】  図１に示されたブーツバンドの係止爪の斜視図。
【図４】  図１に示されたブーツバンドの係止爪の側面図。
【図５】  図１に示されたブーツバンドの一部を拡大して示す平面図。
【図６】  図５に示された係止爪が係合解除位置まで移動した状態を示す平面図。
【図７】  図１に示されたブーツバンドの係止孔の平面図。
【図８】  図１に示されたブーツバンドを被締付面に取付ける前の状態を示す断面図。
【図９】  図１に示されたブーツバンドの耳部をかしめた状態の断面図。
【図１０】  ブーツと接続相手部材を示す断面図。
【図１１】  本発明の第２の実施形態を示すブーツバンドの一部の平面図。
【図１２】  図１１に示されたブーツバンドの係止爪が係合解除位置まで移動した状態を示す平面図。
【図１３】  本発明の第３の実施形態を示すブーツバンドの一部の平面図。
【図１４】  図１３中のＦ１４−Ｆ１４線に沿う断面図。
【図１５】  図１３に示されたブーツバンドの係止爪が係合解除位置まで移動した状態の平面図。
【図１６】  図１５中のＦ１６−Ｆ１６線に沿う断面図。
【図１７】  図１３に示されたブーツバンドの係止爪が係止孔から離れた状態の断面図。
【図１８】  図１３に示されたブーツバンドの係止爪と係止孔を模式的に示す平面図。
【図１９】  従来のブーツバンドを示す断面図。
【符号の説明】
１０，１０Ａ，１０Ｂ…ブーツバンド
１１…バンドボディ
１７…ブーツ
１９…被締付面
２１…外側重なり部
２２…内側重なり部
３０…耳部
４０…係止孔
４０ａ…縁部
４１…係止爪
４７…垂直面
５０…幅狭部
５１…案内斜面
６０…長孔
６１…凸部
６１ａ…垂直面
７０…幅狭部
７１…案内斜面
【図１】
0004499880.tif 000002
【図２】
0004499880.tif 000003
【図３】
0004499880.tif 000004
【図４】
0004499880.tif 000005
【図５】
0004499880.tif 000006
【図６】
0004499880.tif 000007
【図７】
0004499880.tif 000008
【図８】
0004499880.tif 000009
【図９】
0004499880.tif 000010
【図１０】
0004499880.tif 000011
【図１１】
0004499880.tif 000012
【図１２】
0004499880.tif 000013
【図１３】
0004499880.tif 000014
【図１４】
0004499880.tif 000015
【図１５】
0004499880.tif 000016
【図１６】
0004499880.tif 000017
【図１７】
0004499880.tif 000018
【図１８】
0004499880.tif 000019
【図１９】
0004499880.tif 000020